(57)【特許請求の範囲】
【請求項１】
少なくとも、水と、顔料分散体と、保湿剤と、浸透剤とを含む、インクジェット記録装置用インクであって、
前記保湿剤がグリセリン、並びに１，３−プロパンジオール、及び／又は１，４−ブタンジオールを含み、
インク中の前記グリセリンの含有量が５質量％以上９質量％以下であり、
インク中の前記１，３−プロパンジオール、及び／又は前記１，４−ブタンジオールの合計含有量が３０質量％以上４５質量％以下であり、
前記浸透剤が多価アルコールのＣ１〜Ｃ４モノアルキルエーテルであり、
前記多価アルコールのＣ１〜Ｃ４モノアルキルエーテルが、トリエチレングリコールモノブチルエーテル、トリエチレングリコールモノメチルエーテル、ジエチレングリコールモノメチルエーテル、ジエチレングリコールモノイソプロピルエーテル、及びジエチレングリコールモノイソブチルエーテルからなる群より選択される１種以上であり、
インク中の前記多価アルコールのＣ１〜Ｃ４モノアルキルエーテルの含有量が２．０質量％以上４．５質量％以下である、インクジェット記録装置用インク。
【請求項２】
インクジェット記録装置を用いて、請求項１記載のインクジェット記録装置用インクを用いて画像を形成する、画像形成方法。
【請求項３】
前記インクジェット記録装置が、圧電素子に印加される電圧を制御することで液室内に生じる圧力を利用し前記インクの液滴を吐出する記録ヘッドを備え、記録方式がラインヘッド型の記録方式であり、
前記記録ヘッドが、前記圧電素子に印加される電圧を制御することで前記液室内を減圧し、再び前記液室内の圧力を戻す引き打ち方式を用いて前記インクを吐出する、請求項２記載の画像形成方法。
【請求項４】
前記インクジェット記録装置が、画像形成中に、前記液室内の前記インクを３２℃以上３５℃以下に保温する、請求項２又は３記載の画像形成方法。
【発明の詳細な説明】
【技術分野】
【０００１】
本発明は、インクジェット記録装置用インク、及び画像形成方法に関する。
【背景技術】
【０００２】
近年、記録技術の急速な進歩に伴って銀塩写真に匹敵する高精細な画質を得ることが可能となっていることから、インクジェット記録方式を用いて画像を形成するインクジェット記録装置が画像形成装置として広く使用されている。
【０００３】
このようなインクジェット記録装置について、画像の品質を維持しつつ、画像形成速度を向上させることが強く望まれている。このため、高速で画像形成を行っても、記録ヘッドのノズルを目詰まりさせることなく安定してノズルから吐出できるインクが求められている。また、インクが被記録媒体に浸透する前に被記録媒体が排出ローラーで搬送され、インクが排出ローラーに付着（オフセット）することを防止するために、被記録媒体へ速やかに浸透できるインクが求められている。
【０００４】
かかる事情から、安定的に吐出できるインクとして、グリセリンと１，３−プロパンジオールとを特定の比率で含有することを特徴とするインクジェット記録液が提案されている（特許文献１参照）。
【０００５】
また、被記録媒体へのインク浸透速度を効果的に早めることができるインクとして、２０℃における蒸気圧が０．１ｍｍＨｇ以下の多価アルコールモノアルキルエーテルを含むことを特徴とする水性インクが提案されている（特許文献２参照）。
【先行技術文献】
【特許文献】
【０００６】
【特許文献１】特開平９−２６８２６６号公報
【特許文献２】特開平９−１２９４５号公報
【発明の概要】
【発明が解決しようとする課題】
【０００７】
しかし、特許文献１に記載のインクジェット記録液では、グリセリンと１，３−プロパンジオールとの含有比率次第では、インクジェット記録液が充填された記録ヘッドをキャップせずに長期間放置した場合、記録ヘッドからのインクジェット記録液の液滴の吐出状態を良好に保てない場合があった。加えて、特許文献１のインクジェット記録液では、所望するような濃度の画像を得にくい問題と、長時間にわたり画像を形成する場合に、記録ヘッドからのインクジェット記録液の液滴の吐出状態を良好に保ちにくい問題とがある。
【０００８】
また、特許文献２に記載の水性インクでは、インクの被記録媒体への浸透性を十分に高めることができるが、インクが高温環境に長期間さらされた場合に、インクの粘度や、顔料分の分散状態が大きく変化してしまう問題がある。
【０００９】
本発明は、かかる事情に鑑みてなされたものであり、長時間にわたり画像を形成する場合や、インクが充填された記録ヘッドをキャップせずに長期間放置した後に画像を形成する場合であっても、記録ヘッドからのインク液滴の吐出状態を良好に保つことと、所望する画像濃度を有する画像を得ることと、インクが高温環境に長期間さらされる場合のインクの粘度変化及び顔料の分散状態の変化の抑制とが可能である、インクジェット記録装置用インクを提供することを目的とする。また、本発明は、前述のインクジェット記録装置用インクを用いる、インクジェット記録装置を用いる画像形成方法を提供することを目的とする。
【課題を解決するための手段】
【００１０】
本発明者らは、水と、顔料分散体と、保湿剤と、浸透剤とを含むインクジェット記録装置用インクについて、５質量％以上９質量％以下であるグリセリンと、３０質量％以上４５質量％以下である１，３−プロパンジオール及び／又は１，４−ブタンジオールとを保湿剤として含有させ、２質量％以上４．５質量％以下の多価アルコールのＣ１〜Ｃ４モノアルキルエーテルを浸透剤として含有させることで、上記課題を解決できることを見出し、本発明を完成するに至った。より具体的には、本発明は以下のものを提供する。
【００１１】
本発明の第一の態様は、少なくとも、水と、顔料分散体と、保湿剤と、浸透剤とを含む、インクジェット記録装置用インクであって、
前記保湿剤が、グリセリン、並びに１，３−プロパンジオール、及び／又は１，４−ブタンジオールを含み、
インク中の前記グリセリンの含有量が５質量％以上９質量％以下であり、
インク中の前記１，３−プロパンジオール、及び／又は前記１，４−ブタンジオールの合計含有量が３０質量％以上４５質量％以下であり、
前記浸透剤が多価アルコールのＣ１〜Ｃ４モノアルキルエーテルであり、
インク中の前記多価アルコールのＣ１〜Ｃ４モノアルキルエーテルの含有量が２．０質量％以上４．５質量％以下である、インクジェット記録装置用インクである。
【００１２】
本発明の第二の態様は、第一の態様のインクジェット記録装置用インクを用いて、インクジェット記録装置を用いて画像を形成する画像形成方法である。
【発明の効果】
【００１３】
本発明のインクジェット記録装置用インクを用いると、長時間にわたり画像を形成する場合や、インクが充填された記録ヘッドをキャップせずに長期間放置した後に画像を形成する場合であっても、記録ヘッドからのインク液滴の吐出状態を良好に保つことと、所望する画像濃度を有する画像を得ることと、インクが高温環境に長期間さらされる場合のインクの粘度変化及び顔料の分散状態の変化の抑制とが、可能であるインクジェット記録装置用インクを提供できる。また、本発明によれば、前述インクジェット記録装置用インクを用いる、インクジェット記録装置を用いる画像形成方法を提供できる。
【図面の簡単な説明】
【００１４】
【図１】図１は、ラインヘッド型の記録方式を採用したインクジェット記録装置の構成を示す図である。
【図２】図２は、図１に示されるインクジェット記録装置の搬送ベルトを上方から見た図である。
【図３】図３は、引き打ち方式を用いたインク吐出の過程を示す図である。
【図４】図４は、ラインヘッド型の記録方式のインクジェット記録装置の構成を示すブロック図である。
【図５】図５は、ラインヘッド型の記録方式のインクジェット記録装置に用いられるラインヘッドと記録用紙上に形成されたドット列の一部を示す図である。
【発明を実施するための形態】
【００１５】
以下、本発明の実施形態について詳細に説明するが、本発明は、以下の実施形態になんら限定されるものではなく、本発明の目的の範囲内で、適宜変更を加えて実施できる。なお、説明が重複する箇所については、適宜説明を省略する場合があるが、発明の要旨を限定するものではない。
【００１６】
［第１実施形態］
第１実施形態のインクジェット記録装置用インク（以下、単にインクとも記す）は、水と、顔料分散体と、保湿剤と、浸透剤とを含む。インクは、保湿剤として、インク中にグリセリンを５質量％以上９質量％以下、並びに１，３−プロパンジオール、及び／又は１，４−ブタンジオールを３０質量％以上４５質量％以下含む。インクは、浸透剤として、インク中に多価アルコールのＣ１〜Ｃ４モノアルキルエーテルを２．０質量％以上４．５質量％以下含む。
【００１７】
インクは、必要に応じ、水、顔料、樹脂、保湿剤、及び浸透剤の他に、インクに含まれる成分の溶解状態を安定化させる溶解安定剤を含んでいてもよい。インク中、顔料と樹脂とは、顔料分散体として含有される。以下、インクジェット記録装置用インクが含む、必須、又は任意の成分である、水、顔料分散体、顔料分散体に含まれる顔料、及び樹脂、保湿剤、浸透剤、並びに溶解安定剤と、インクジェット記録装置用インクの製造方法とについて順に説明する。
【００１８】
〔水〕
本発明のインクジェット記録装置用インクは、水性インクであり、水を必須に含む。インクに含まれる水は、本発明の目的を阻害しない範囲で特に限定されず、従来から、水性インクの製造に使用されている水から、所望の純度の水を適宜選択して使用できる。本発明のインクジェット記録装置用インク中の水の含有量は、本発明の目的を阻害しない範囲で特に限定されない。水の含有量は、後述する、他の成分の使用量に応じて適宜変更される。インク中の典型的な水の含有量としては、インクの全質量に対して２０質量％以上７０質量％以下が好ましく、３０質量％以上６０質量％以下がより好ましい。
【００１９】
〔顔料分散体〕
本発明のインクジェット記録装置用インクは、着色剤である顔料と樹脂とを含む顔料分散体を含む。
【００２０】
（顔料）
顔料分散体中に含有させることができる顔料は、本発明の目的を阻害しない範囲で特に限定されず、従来からインクジェット記録装置用インクにおいて着色剤として使用されている顔料から適宜選択して使用できる。好適な顔料の具体例は、Ｃ．Ｉ．ピグメントイエロー７４、９３、９５、１０９、１１０、１２０、１２８、１３８、１３９、１５１、１５４、１５５、１７３、１８０、１８５、及び１９３のような黄色顔料、Ｃ．Ｉ．ピグメントオレンジ３４、３６、４３、６１、６３、及び７１のような橙色顔料、Ｃ．Ｉ．ピグメントレッド１２２、及び２０２のような赤色顔料、Ｃ．Ｉ．ピグメントブルー１５のような青色顔料、Ｃ．Ｉ．ピグメントバイオレット１９、２３、及び３３のような紫色顔料、Ｃ．Ｉ．ピグメントブラック７のような黒色顔料を挙げることができる。
【００２１】
顔料の使用量は、本発明の目的を阻害しない範囲で特に限定されない。具体的には、インクの全質量に対して４質量％以上８質量％以下が好ましい。顔料の使用量が過少である顔料分散体を用いて調製されたインクを用いると、所望する画像濃度を有する画像を得にくい。顔料の使用量が過多である顔料分散体を用いて調製されたインクを用いると、インクの流動性が損なわれ、所望する画像濃度を有する画像を得にくくなったり、インクの被記録媒体に対する浸透性が損なわれ、オフセットが発生しやすくなったりする場合がある。
【００２２】
顔料分散体に含まれる顔料の体積平均粒径は、インクの色濃度、色相、及びインクの安定性のような観点から、３０ｎｍ以上２００ｎｍ以下が好ましく、７０ｎｍ以上１３０ｎｍ以下がより好ましい。顔料の体積平均粒径は、顔料と樹脂とを混練する際に使用するビーズの粒径や処理時間を調整することで調整できる。体積平均粒径が過小である顔料を含む顔料分散体を用いて調製されたインクを用いる場合、形成画像の画像濃度が所望する値を下回る場合がある。体積平均粒径が過大である顔料を含む顔料分散体を用いて調製されたインクを用いる場合、インクを吐出するノズルの目詰まりが発生したり、インクの吐出性が悪化したりする場合がある。顔料の体積平均粒径は、顔料分散体をイオン交換水を用いて３００倍に希釈した試料を用い、動的光散乱粒度分布測定装置（シスメックス株式会社製）のような装置を用いて測定できる。
【００２３】
（樹脂）
顔料分散体に含まれる樹脂は、本発明の目的を阻害しない範囲で特に限定されず、従来から顔料分散体の製造に用いられている種々の樹脂から適宜選択して使用できる。好適な樹脂の具体例としては、スチレン−アクリル酸−アクリル酸アルキルエステル共重合体、スチレン−メタクリル酸−メタクリル酸アルキルエステル−アクリル酸アルキルエステル共重合体、スチレン−アクリル酸共重合体、スチレン−マレイン酸共重合体、スチレン−マレイン酸−アクリル酸アルキルエステル共重合体、スチレン−メタクリル酸共重合体、スチレン−メタクリル酸アルキルエステル共重合体、スチレン−マレイン酸ハーフエステル共重合体、ビニルナフタレン−アクリル酸共重合体、及びビニルナフタレン−マレイン酸共重合体のような樹脂が挙げられる。これらの樹脂の中では、調製が容易で、顔料の分散効果に優れることから、スチレン−アクリル酸−アクリル酸アルキルエステル共重合体、スチレン−メタクリル酸−メタクリル酸アルキルエステル−アクリル酸アルキルエステル共重合体、スチレン−アクリル酸共重合体、スチレン−マレイン酸−アクリル酸アルキルエステル共重合体、スチレン−メタクリル酸共重合体、及びスチレン−メタクリル酸アルキルエステル共重合体のような、スチレンに由来する単位と、アクリル酸、メタクリル酸、アクリル酸エステル、又はメタクリル酸エステルに由来する単位とを含むスチレン−アクリル系樹脂が好ましい。
【００２４】
顔料分散体の調製に用いる樹脂の質量平均分子量（Ｍｗ）は、本発明の目的を阻害しない範囲で特に限定されないが、典型的には１０，０００以上１６０，０００以下が好ましい。分子量が過小である樹脂を含む顔料分散体を用いて調製されたインクを用いる場合、被記録媒体に画像を形成する際に、所望する画像濃度を有する画像を得にくい。分子量が過大である樹脂を含む顔料分散体を用いて調製されたインクを用いる場合、インクの粘度が高いため、溶媒の揮発のような要因の影響で、インクの粘度がさらに高くなりやすく、ノズルからのインクの吐出不良が起こりやすい。このため、分子量が過大である樹脂を含む顔料分散体を用いて調製されたインクを用いる場合、良好な画像を形成しにくい。上記の樹脂の分子量は、樹脂を重合反応を用いて得る際の、重合開始剤の使用量、重合温度、又は重合時間のような重合条件を調整する公知の方法に従って調整できる。顔料分散体に含まれる樹脂の質量平均分子量（Ｍｗ）はゲルろ過クロマトグラフィーを用いて測定できる。
【００２５】
顔料分散体の調製に用いる樹脂の酸価は、５０ｍｇＫＯＨ／ｇ以上２００ｍｇＫＯＨ／ｇ以下が好ましい。酸価が過小である樹脂を含む顔料分散体を用いて調製されたインクを用いる場合、顔料分散体中の顔料の分散性が低くなりやすく、顔料の微粒子化が困難となる。そのため、形成画像が良好な着色性、発色性を有さない場合がある。酸価が過大である樹脂を含む顔料分散体を用いて調製されたインクを用いる場合、インクの保存安定性が低くなりやすい。樹脂の酸価は、樹脂を合成する際に、アクリル酸及びメタクリル酸のような酸性の官能基を有する単量体の使用量を適宜調整することで調整できる。具体的には、酸性の官能基を有する単量体の使用量を増やすことで樹脂の酸価を高めることができる。
【００２６】
顔料分散体を調製する際の樹脂の使用量は、本発明の目的を阻害しない範囲で特に限定されない。樹脂は、典型的には、顔料１００質量部に対して、１５質量部以上１００質量部以下の範囲の量で使用される。
【００２７】
（顔料分散体の製造方法）
顔料と樹脂とを含む顔料分散体を製造する方法は、本発明の目的を阻害しない範囲で特に限定されず、従来知られる方法から適宜選択できる。好適な方法としては、ナノグレンミル（浅田鉄工株式会社製）、ＭＳＣミル（三井鉱山株式会社製）、ダイノーミル（株式会社シンマルエンタープライゼス製）のようなメディア型湿式分散機を用いて、水のような適切な液体の媒体中で、顔料と樹脂とを混練して顔料分散体を製造する方法が挙げられる。メディア型湿式分散機を用いる処理では、小粒径のビーズを用いる。ビーズの粒径は特に限定されず、典型的には粒径０．５ｍｍ以上１．０ｍｍ以下である。また、ビーズの材質は特に限定されず、ジルコニアのような硬質の材料が使用される。
【００２８】
顔料分散体を製造する際の、液体の媒体の使用量は、顔料と樹脂とを良好に混練できる限り特に限定されない。典型的には、液体の媒体の使用量は、顔料と樹脂との質量の合計に対して、１倍以上１０倍以下の質量を用いるのが好ましく、２倍以上８倍以下の質量を用いるのがより好ましい。
【００２９】
〔保湿剤〕
保湿剤は、インクからの液体成分の揮発を抑制してインクの粘性を安定化させる成分である。インクジェット記録装置用インクは、グリセリン、並びに１，３−プロパンジオール、及び／又は１，４−ブタンジオールを含む保湿剤を含有する。保湿剤として、グリセリン、並びに１，３−プロパンジオール、及び／又は１，４−ブタンジオールを含むことで、インクが充填された記録ヘッドをキャップせずに長期間放置した後に画像を形成する際に、記録ヘッドからインク液滴を良好に吐出することができる。
【００３０】
インク中のグリセリンの含有量は５質量％以上９質量％以下である。また、インク中の１，３−プロパンジオール、及び／又は１，４−ブタンジオールの合計含有量は３０質量％以上４５質量％以下である。グリセリンの含有量が過少であるインクを用いる場合、インクの保湿性が低くなり、溶剤が揮発しやすい。そのため、ノズルのインク吐出口近傍で、インクが増粘、或いは固化しやすい。従って、インクが充填された記録ヘッドをキャップせずに長期間放置した後に画像を形成する際に、記録ヘッドからのインク液滴の吐出不良が生じやすい。一方、グリセリンの含有量が過多であるインクを用いる場合、インクの保湿性は高いものの、インクの粘度が高くなりやすい。従って、長時間にわたり画像を形成する際に、記録ヘッドからのインク液滴の吐出不良が生じやすい。
【００３１】
１，３−プロパンジオール、及び／又は１，４−ブタンジオールの合計含有量が過少であるインクを用いる場合、インクの保湿性が低くなり、溶剤が揮発しやすい。従って、長時間にわたり画像を形成する際に、記録ヘッドからのインク液滴の吐出不良が生じやすい。また、溶剤の揮発に起因して、ノズルのインク吐出口近傍で、インクが増粘、或いは固化しやすい。従って、インクが充填された記録ヘッドをキャップせずに長期間放置した後に画像を形成する際に、記録ヘッドからのインク液滴の吐出不良が生じやすい。
【００３２】
１，３−プロパンジオール、及び／又は１，４−ブタンジオールの合計含有量が過多であるインクを用いる場合、インクの粘度が高く、時間の経過に伴いさらに粘度が高くなりやすい。従って、インクが充填された記録ヘッドをキャップせずに長期間放置した後に画像を形成する際に、記録ヘッドからのインク液滴の吐出不良が生じやすい。さらに、１，４−ブタンジオールの含有量が過多であるインクを用いる場合は、インクが充填された記録ヘッドをキャップせずに長期間放置した後に画像を形成する際に、記録ヘッドからのインク液滴の吐出不良が生じやすい。
【００３３】
インクジェット記録装置用インクは、本発明の目的を阻害しない範囲の量で、グリセリン、１，３−プロパンジオール、及び１，４−ブタンジオール以外の他の保湿剤を含んでいてもよい。インクに配合できる、グリセリン、１，３−プロパンジオール、及び１，４−ブタンジオール以外の他の保湿剤の具体例としては、ポリエチレングリコール、ポリプロピレングリコール、エチレングリコール、プロピレングリコール、ブチレングリコール、ジエチレングリコール、ジプロピレングリコール、トリエチレングリコール、トリプロピレングリコール、１，２，６−ヘキサントリオール、チオジグリコール、１，３−ブタンジオール、及び１，５−ペンタンジオールが挙げられる。これらの保湿剤は、１種類を単独で用いても、２種類以上を組み合わせて用いてもよい。
【００３４】
保湿剤の含有量の合計量は、インクの全質量に対して３５質量％以上６０質量％以下が好ましく、３５質量％以上５５質量％以下がより好ましい。保湿剤中の、グリセリン、並びに１，３−プロパンジオール、及び／又は１，４−ブタンジオールの含有量は、本発明の目的を阻害しない範囲で特に限定されないが、保湿剤中８０質量％以上が好ましく、９０質量％以上がより好ましく、１００質量％であるのが特に好ましい。
【００３５】
〔浸透剤〕
インクジェット記録装置用インクは、インクの被記録媒体への浸透性を高める目的で、浸透剤を含む。浸透剤は、多価アルコールのＣ１〜Ｃ４モノアルキルエーテルである。浸透剤として、多価アルコールのＣ１〜Ｃ４モノアルキルエーテルを用いることで、画像形成する際に、所望する画像濃度を有する画像を得ることができ、インクが充填された記録ヘッドをキャップせずに長期間放置した後に画像を形成する際に、記録ヘッドからインク液滴を良好に吐出でき、高温環境に長期間さらされても、インクの粘度変化、及び顔料の分散状態の変化を抑制できる。
【００３６】
インク中の多価アルコールのＣ１〜Ｃ４モノアルキルエーテルの含有量は２．０質量％以上４．５質量％以下である。多価アルコールのＣ１〜Ｃ４モノアルキルエーテルの含有量が過少であるインクを用いる場合、被記録媒体へのインクの浸透性が低くなりやすいため、画像形成の際に、所望する画像濃度を有する画像を得にくい。多価アルコールのＣ１〜Ｃ４モノアルキルエーテルの含有量が過多であるインクを用いる場合、インクが高温環境に長期間さらされる際の、インクの粘度変化、及び顔料の分散状態の変化を抑制しにくい。また、インクが充填された記録ヘッドをキャップせずに長期間放置した後に画像を形成する際に、記録ヘッドからのインク液滴の吐出不良が生じやすい。
【００３７】
多価アルコールのＣ１〜Ｃ４モノアルキルエーテルの具体例としては、トリエチレングリコールモノブチルエーテル、ジエチレングリコールモノプロピルエーテル、トリエチレングリコールモノエチルエーテル、トリエチレングリコールモノメチルエーテル、ジエチレングリコールモノメチルエーテル、ジエチレングリコールモノイソプロピルエーテル、ジエチレングリコールモノイソブチルエーテルが挙げられる。これらの中でも、紙のような被記録媒体に対する浸透性、並びに保湿性、及び保存安定性に優れるインクを得やすいため、トリエチレングリコールモノブチルエーテル、トリエチレングリコールモノメチルエーテル、ジエチレングリコールモノメチルエーテル、ジエチレングリコールモノイソプロピルエーテル、及びジエチレングリコールイソブチルエーテルからなる群より選択される１種以上が好ましい。
【００３８】
インクジェット記録装置用インクは、インクの被記録媒体への浸透性の調整のような目的で、本発明の目的を阻害しない範囲の量で、前述の浸透剤以外の他の有機溶媒を含んでいてもよい。前述の浸透剤以外の他の有機溶媒の具体例としては、炭素数６以上１２以下のアルキル基を有する長鎖アルコール及び炭素数６以上９以下のアルキル基を有する多価アルコールのような有機溶媒が挙げられる。これらの有機溶剤は、１種類を単独で用いても、２種類以上を組み合わせて用いてもよい。インク中に前述の浸透剤の他の有機溶媒を含む場合、他の有機溶媒は、インクの全質量に対して２質量％以上８質量％以下含まれるのが好ましい。
【００３９】
〔溶解安定剤〕
溶解安定剤は、インクに含まれる成分を相溶化してインクの溶解状態を安定化させる成分である。溶解安定剤の具体例としては、２−ピロリドン、Ｎ−メチル−２−ピロリドン、及びγ−ブチロラクトンが挙げられる。これらの溶解安定剤は２種以上を組み合わせて用いることができる。インクが溶解安定剤を含有する場合、溶解安定剤の含有量は、インクの全質量に対して１質量％以上２０質量％以下が好ましく、３質量％以上１５質量％以下がより好ましい。
【００４０】
〔インクジェット記録装置用インクの製造方法〕
本発明のインクジェット記録装置用インクの製造方法は、水、顔料分散体、保湿剤、及び浸透剤に対して、必要に応じて溶解安定剤を加えた後に、これらのインク成分を均一に混合することができれば特に限定されない。インクジェット記録装置用インクの製造方法の具体例としては、インクの各成分を混合機を用いて均一に混合した後、孔径１０μｍ以下のフィルターを用いて異物や粗大粒子を除去する方法が挙げられる。インクジェット記録装置用インクを製造する際には、水、顔料分散体、保湿剤、及び浸透剤に対して、必要に応じて溶解安定剤のような有機溶媒の他の液体成分や、界面活性剤、酸化防止剤、粘度調整剤、ｐＨ調整剤、防腐防カビ剤のような、従来、インクジェット記録装置用インクに加えられている種々の添加剤を加えることができる。
【００４１】
以上説明した第１実施形態に係るインクジェット記録装置用インクを用いると、長時間にわたり画像を形成する場合や、インクが充填された記録ヘッドをキャップせずに長期間放置した後に画像を形成する場合であっても、記録ヘッドからのインク液滴の吐出状態を良好に保つことができ、所望する画像濃度を有する画像を得ることができ、高温環境に長期間さらされてもインクの粘度変化、及び顔料の分散状態の変化を抑制できる。このため、第１実施形態に係るインクジェット記録装置用インクは、種々のインクジェット記録装置で好適に使用される。
【００４２】
［第２実施形態］
第２実施形態は、インクジェット記録装置を用いて、第１実施形態に係るインクジェット記録装置用インクを用いて画像を形成する、画像形成方法に関する。第２実施形態に係る画像形成方法で用いるインクジェット記録装置の記録方式は、特に限定されず、記録ヘッドが被記録媒体上を走査しながら記録を行うシリアル型であっても、装置本体に固定された記録ヘッドを用いて記録を行うラインヘッド型であってもよい。第２実施形態に係る画像形成方法で用いるインクジェット記録装置としては、画像形成の高速性の点からラインヘッド型の記録ヘッドを備える記録装置が好ましく、被記録媒体を搬送する方向に対して垂直方向に設置された長尺のラインヘッドを備える記録装置がより好ましい。
【００４３】
第２実施形態の画像形成方法では、第１実施形態に係るインクジェット記録装置用インクを用いるため、記録ヘッドからインクがしばらく吐出されなかった後に画像を形成する際の画像の乱れを抑制でき、インクが充填された記録ヘッドをキャップせずに長期間放置した後に記録ヘッドからインク液滴を吐出して画像を形成する場合であっても、記録ヘッドからのインク液滴の吐出状態を容易に良好な状態に保つことができる。
【００４４】
以下、図面を参照して、第２実施形態の画像形成方法について、ラインヘッド型の記録方式のインクジェット記録装置を用い、被記録媒体として記録用紙を用いる場合に関して説明する。図１は、ラインヘッド型の記録方式のインクジェット記録装置の構成を示す図であり、図２は、図１に示すインクジェット記録装置の搬送ベルトを上方からみた図である。
【００４５】
図１に示すように、インクジェット記録装置１００の左側部には記録用紙Ｐを収容する給紙トレイ２（給紙部）が設けられており、この給紙トレイ２の一端部には収容された記録用紙Ｐを、最上位の記録用紙Ｐから順に一枚ずつ後述する搬送ベルト５へと搬送するための給紙ローラー３及び給紙ローラー３に圧接され従動回転する従動ローラー４が設けられている。
【００４６】
給紙ローラー３及び従動ローラー４に関して用紙搬送方向Ｘの下流側（図１での右側）には、搬送ベルト５が回転自在に配設されている。搬送ベルト５は、用紙搬送方向Ｘの下流側に配置されたベルト駆動ローラー６と、上流側に配置され搬送ベルト５を介してベルト駆動ローラー６に従動回転するベルトローラー７とに掛け渡されており、ベルト駆動ローラー６が時計方向に回転駆動されることで、搬送ベルト５に担持された記録用紙Ｐが矢印Ｘ方向に搬送される。
【００４７】
ここで、用紙搬送方向Ｘの下流側にベルト駆動ローラー６を配置したことで、搬送ベルト５の用紙送り側（図１での上側）はベルト駆動ローラー６に引っ張られる。そのため、弛みが生じることなくベルトを張ることができるので、安定した記録用紙Ｐの搬送が可能となる。なお、搬送ベルト５には誘電体樹脂製のシートが用いられ、その形態としては継ぎ目を有しない（シームレス）ものが好適に用いられる。
【００４８】
また、搬送ベルト５の用紙搬送方向Ｘの下流側には、図中時計回りに駆動され画像が記録された記録用紙Ｐを装置本体外へと排出する排出ローラー８ａ、及び排出ローラー８ａの上部に圧接され従動回転する従動ローラー８ｂからなる排出ローラー対８（排出部）が設けられている。排出ローラー対８の用紙搬送方向Ｘの下流側には、装置本体外へと排出された記録用紙Ｐが積載される排紙トレイ１０が設けられている。
【００４９】
従動ローラー８ｂは記録用紙Ｐの画像形成面に直接触れるため、従動ローラー８ｂの表面を形成する素材は撥水性材料であるのが好ましい。従動ローラー８ｂの表面を撥水性材料を用いて形成することで、記録用紙Ｐに浸透していないインクの従動ローラー８ｂへの付着を抑制できる。そのため、オフセットの発生を抑制しやすい。好適な撥水材料としては、ポリテトラフルオロエチレン（ＰＴＦＥ）、テトラフルオロエチレン−パーフルオロアルキルビニルエーテル共重合体、テトラフルオロエチレン−ヘキサフルオロプロピレン共重合体、テトラフルオロエチレン−エチレン共重合体、テトラフルオロエチレン−フッ化ビニリデン共重合体、テトラフルオロエチレン−ヘキサフルオロプロピレン−パーフルオロアルキルビニルエーテル共重合体、ポリクロロトリフルオロエチレン、クロロトリフルオロエチレン−エチレン共重合体、クロロトリフルオロエチレン−フッ化ビニリデン共重合体、ポリフッ化ビニリデン、及びポリフッ化ビニルのようなフッ素樹脂が挙げられる。従動ローラー８ｂと同様に、記録用紙Ｐの画像形成面に接触する部材の表面は撥水性材料を用いて形成するのが好ましい。
【００５０】
そして、搬送ベルト５の上方には、搬送ベルト５の上面に対して所定の間隔が形成されるような高さに支持され、搬送ベルト５上を搬送される記録用紙Ｐへと画像の記録を行うラインヘッド１１Ｃ、１１Ｍ、１１Ｙ及び１１Ｋが配設されている。
【００５１】
これらのラインヘッド１１Ｃ〜１１Ｋには、それぞれ異なる４色（シアン、マゼンタ、イエロー及びブラック）の着色インクが充填されており、各ラインヘッド１１Ｃ〜１１Ｋからそれぞれの着色インクを吐出することで、記録用紙Ｐ上にカラー画像が形成される。
【００５２】
記録用紙Ｐに各ラインヘッド１１Ｃ〜１１Ｋから吐出されたインクの液滴が着弾してから、記録用紙Ｐ上のインクの着弾箇所が、排出部８に到達するまでの時間は装置を小型化するためには１秒以内であるのが好ましい。かかる時間を１秒以内とした場合であっても、第１実施形態に係るインクを用いることで、高速での画像形成時のオフセットの発生の抑制の効果が充分に得られる。
【００５３】
また、記録用紙Ｐに各ラインヘッド１１Ｃ〜１１Ｋから吐出され、記録用紙Ｐに打ち込まれる一色又は複数の色のインクの量は、特に限定されず、所望する画像濃度を有する画像を形成でき、オフセットが発生しにくい量に調整して画像が形成される。
【００５４】
これらのラインヘッド１１Ｃ〜１１Ｋは、図２に示すように、用紙搬送方向Ｘと直交する方向（図２の上下方向）に複数のノズルが配列されたノズル列を備え、搬送される記録用紙Ｐの幅以上の記録領域を有しており、搬送ベルト５上を搬送される記録用紙Ｐに対して、一括して１行分の画像を形成することができるようになっている。
【００５５】
なお、本実施形態のラインヘッド型の記録方式のインクジェット記録装置では、搬送ベルト５の幅寸法以上に形成された長尺のヘッド本体の長手方向に複数のノズルを配列させることで、記録用紙Ｐの幅以上の記録領域を有するように構成されたラインヘッドを用いている。しかしながら、各々複数個のノズルを備えた短尺のヘッドユニットを搬送ベルト５の幅方向に複数配列することで、搬送される記録用紙Ｐの幅方向全幅にわたって画像を記録できるようにしたラインヘッドを用いても構わない。
【００５６】
また、ラインヘッド１１Ｃ〜１１Ｋのインクの吐出方式としては、圧電素子（ピエゾ素子：後述する図３に示す）に印加する電圧を制御することで、ラインヘッド１１Ｃ〜１１Ｋの液室内に生じる圧力を利用してインクの液滴を吐出する圧電素子方式や、発熱体を用いて液室内のインク中に気泡を発生させ、圧力をかけてインクを吐出するサーマルインクジェット方式のような各種方式を適用することができる。インクの吐出方式としては、吐出量の制御が容易であることから圧電素子方式が好ましい。
【００５７】
本発明の第２実施形態に係る画像形成方法に用いられるインクジェット記録装置が備える、ラインヘッド１１Ｃ〜１１Ｋは、特に、圧電素子に印加する電圧を制御することで前記液室内を減圧し、再び前記液室内の圧力を戻す動作を行う、引き打ち方式を用いてインクを吐出するのが好ましい。インクの吐出を引き打ち方式を用いて行うことで、被記録媒体に形成させるドット径の大きさ、つまり、インクの吐出量を調整しやすくなる。そのため、被記録媒体上に形成される画像について、多段階の階調を表現しやすくなる。以下、引き打ち方式を用いた場合のインク吐出の過程を説明する。
【００５８】
図３は、引き打ち方式を用いた場合のインク吐出の過程を示す図である。図３（ａ）に示すように、ラインヘッド１１Ｃ〜１１Ｋは、そのノズル毎に、圧電素子３２、インク吐出口３４、及び液室３６が設けられている。引き打ち方式を用いた場合のインクの吐出では、まず、圧電素子３２に駆動電圧を印加していない図３（ａ）の状態から、図３（ｂ）に示すように、圧電素子３２に駆動電圧を印加して圧電素子３２を収縮させる。このとき、駆動電圧を徐々に上昇させて圧電素子３２を徐々に収縮させることで、液室３６内をゆっくりと減圧するのが好ましい。このような動作を経て、インク吐出口３４のメニスカスＭの引き込みすぎに起因する液室３６内の気泡の残留を防ぎつつ、液室３６を広げることができる。その後、圧電素子３２への駆動電圧の印加が終わり、図３（ｃ）に示すように圧電素子３２が元の状態に戻ることで、インク吐出口３４近傍の微量のインクをインク液滴４２として吐出させることができる。
【００５９】
また、本発明の第２実施形態に係る画像形成方法では、インクジェット記録装置が備えるラインヘッド１１Ｃ〜１１Ｋの液室３６内のインクを、２０℃程度の通常の室温に対してやや高めの温度に保温するのが好ましい。より具体的には、インクを３２℃以上３５℃以下に保温するのが好ましい。液室３６内のインクを保温する方法は、本発明の目的を阻害しない限り、特に限定されない。液室３６内のインクを保温する方法としては、各色のラインヘッド１１Ｃ〜１１Ｋ毎に設けられた共通インク室（不図示）にヒーターを設け、共通インク室内のインクを保温する方法、或いは、ラインヘッド１１Ｃ〜１１Ｋのノズル毎に設けられた液室３６にヒーターを設け、ヒーターを用いて液室３６内のインクを保温する方法が挙げられる。
【００６０】
液室３６内のインクを通常の室温に対してやや高めの温度に保温することで、インクの粘度変化、及び顔料の分散状態の変化を抑制しつつ、インクが充填されたラインヘッド１１Ｃ〜１１Ｋをキャップせずに長期間放置した後に画像を形成する場合であっても、ラインヘッド１１Ｃ〜１１Ｋからのインク液滴の吐出状態を良好に保つことができるので、所望する画像濃度を有する画像を形成できる。
【００６１】
図４は、ラインヘッド型の記録方式を採用したインクジェット記録装置の構成を示すブロック図である。図１及び図２と共通する部分には同一の符号を付して説明を省略する。インクジェット記録装置１００には制御部２０が備えられており、制御部２０には、インターフェイス２１、ＲＯＭ２２、ＲＡＭ２３、エンコーダー２４、モーター制御回路２５、ラインヘッド制御回路２６、及び電圧制御回路２７が接続されている。
【００６２】
インターフェイス２１は、図示しないパソコンのようなホスト装置とデータの送受信を行う。制御部２０は、インターフェイス２１を介して受信された画像信号に対して、必要に応じて変倍処理或いは階調処理を施して画像データに変換する。そして、後述する各種制御回路に制御信号を出力する。
【００６３】
ＲＯＭ２２は、ラインヘッド１１Ｃ〜１１Ｋを駆動させて画像形成を行う際の制御プログラムのようなプログラムを記憶している。ＲＡＭ２３は、制御部２０で変倍処理或いは階調処理された画像データを所定の領域に格納する。
【００６４】
エンコーダー２４は、搬送ベルト５を駆動する排紙側のベルト駆動ローラー６に接続されており、ベルト駆動ローラー６の回転軸の回転変位量に応じてパルス列を出力する。制御部２０は、エンコーダー２４から送信されるパルス数をカウントすることでベルト駆動ローラー６の回転量を算出し、記録用紙Ｐの送り量（記録用紙Ｐの位置）を把握する。そして制御部２０は、エンコーダー２４からの信号に基づいて、モーター制御回路２５及びラインヘッド制御回路２６に制御信号を出力する。
【００６５】
モーター制御回路２５は、制御部２０からの出力信号に基づいて記録媒体搬送用モーター２８を駆動する。記録媒体搬送用モーター２８を駆動することでベルト駆動ローラー６を回転させ、搬送ベルト５を図１の時計回りに回動させて記録用紙Ｐを矢印Ｘ方向へと搬送する。
【００６６】
ラインヘッド制御回路２６は、制御部２０からの出力信号に基づいて、ＲＡＭ２３に格納された画像データをラインヘッド１１Ｃ〜１１Ｋへ転送し、転送された画像データに基づいてラインヘッド１１Ｃ〜１１Ｋからのインクの吐出を制御する。かかる制御と、記録媒体搬送用モーター２８が駆動させる搬送ベルト５が行う記録用紙Ｐの搬送の制御とで、記録用紙Ｐへの画像の形成が行われる。また、ラインヘッド１１Ｃ〜１１Ｋが、液室３６内のインクを３２℃以上３５℃以下に保温するためにヒーターを備える場合、ラインヘッド制御回路２６は、制御部２０からの出力信号に基づいて、ヒーターの温度を制御する。このとき、ラインヘッド１１Ｃ〜１１Ｋは、さらに温度センサーを備えるのが好ましい。この場合、ラインヘッド制御回路２６は、温度センサーを用いてインクの温度を検知しながらヒーターの温度を調整することができる。
【００６７】
電圧制御回路２７は、制御部２０からの出力信号に基づいて給紙側のベルトローラー７に電圧を印加することで交番電界を発生させ、搬送ベルト５に記録用紙Ｐを静電吸着させる。静電吸着の解除は、制御部２０からの出力信号に基づいてベルトローラー７又はベルト駆動ローラー６を接地させることで行われる。なお、ここでは給紙側のベルトローラー７に電圧を印加する構成としたが、排紙側のベルト駆動ローラー６に電圧を印加する構成としてもよい。
【００６８】
ラインヘッド型の記録方式のインクジェット記録装置を用いてドットを形成する方法を、図５を用いて具体的に説明する。なお、図５では図１及び図２に示したラインヘッド１１Ｃ〜１１Ｋのうち、ラインヘッド１１Ｃを例に挙げて説明するが、他のラインヘッド１１Ｍ〜１１Ｋについても全く同様に説明される。
【００６９】
図５に示すように、ラインヘッド１１Ｃには複数個のノズルからなるノズル列Ｎ１、Ｎ２が記録用紙Ｐの搬送方向（矢印Ｘ方向）に並設されている。つまり、記録用紙Ｐの搬送方向Ｘの各ドット列を形成するノズルとして、ノズル列Ｎ１、Ｎ２に各１個ずつ（ドット列Ｌ１ではノズル１２ａ及び１２ａ’）、合計２個のノズルを備えている。なお、ここでは説明の便宜のため、ノズル列Ｎ１、Ｎ２を構成するノズルのうち、ドット列Ｌ１〜Ｌ１６に対応する１２ａ〜１２ｐ及び１２ａ’〜１２ｐ’までの各１６個のノズルのみを記載しているが、実際にはさらに多数のノズルが用紙搬送方向Ｘと直交する方向に配列されているものとする。
【００７０】
そして、このノズル列Ｎ１、Ｎ２を順次用いて被記録媒体としての記録用紙Ｐ上に画像を形成する。記録用紙Ｐを用紙搬送方向Ｘに移動させながら、記録用紙Ｐの幅方向（図の左右方向）１行分のドット列Ｄ１をノズル列Ｎ１からのインク吐出（図の実線矢印）で形成した後、次の１行分のドット列Ｄ２をノズル列Ｎ２からのインク吐出（図の破線矢印）で形成し、さらに次の１行分のドット列Ｄ３を再びノズル列Ｎ１からのインク吐出で形成する。以下、ドット列Ｄ４以降もノズル列Ｎ１、Ｎ２を交互に用いて同様に形成する。
【００７１】
以上説明した第２実施形態に係る画像形成方法では、長時間にわたり画像を形成する場合や、インクが充填された記録ヘッドをキャップせずに長期間放置した後に画像を形成する場合であっても、記録ヘッドからのインク液滴の吐出状態を良好に保つことができ、所望する画像濃度を有する画像を得ることができ、高温環境に長期間さらされてもインクの粘度変化、及び顔料の分散状態の変化を抑制できる。このため、第２実施形態に係る画像形成方法は、種々のインクジェット記録装置に好適に利用することができる。
【実施例】
【００７２】
以下、実施例を用いて本発明をさらに具体的に説明する。なお、本発明は実施例の範囲になんら限定されるものではない。
【００７３】
〔製造例１〕
（スチレン−アクリル樹脂の製造）
顔料分散体の調製に用いるスチレン−アクリル樹脂をマクロモノマー合成法を用いて製造した。具体的には、１０００ｍｌ四つ口フラスコに、スターラー、窒素導入管、コンデンサー、滴下ロートをセットし、イソプロピルアルコール１００ｇ、メチルエチルケトン３００ｇをフラスコに加え、窒素ガスをバブリングしながら加熱還流した。滴下ロートに、メタクリル酸メチル３０ｇ、スチレン８０ｇ、アクリル酸ブチル４２ｇ、メタクリル酸（ＭＡＡ）９．７ｇ及び開始剤として、アゾビスイソブチロニトリル（ＡＩＢＮ）０．３ｇを混合溶解したものを入れ、約２時間かけフラスコ内を７０℃で加熱還流させた状態で、滴下した。滴下後、さらに６時間フラスコ内を加熱還流し、さらに、ＡＩＢＮを０．１ｇ含むメチルエチルケトン１５０ｇを、１５分かけ滴下した。この後さらに６時間フラスコ内を加熱還流した後、メチルエチルケトンを留去することで、分子量５３，０００、酸価６０ｍｇＫＯＨ／ｇのスチレン−アクリル樹脂を得た。
【００７４】
得られた樹脂の質量平均分子量（Ｍｗ）は、ゲルろ過クロマトグラフィー（ＨＬＣ−８０２０ＧＰＣ（東ソー株式会社製））を用いて下記条件に従って確認した。得られた樹脂の酸価（ｍｇＫＯＨ／ｇ）は滴定で確認した。
【００７５】
＜質量平均分子量測定条件＞
カラム：ＴＳＫｇｅｌ、Ｓｕｐｅｒ  Ｍｕｌｔｉｐｏｒｅ  ＨＺ−Ｈ（東ソー株式会社製、４．６ｍｍＩＤ×１５ｃｍ）
カラム本数：３本
溶離液：テトラヒドロフラン
流速：０．３５ｍｌ／分
サンプル注入量：１０μｌ
測定温度：４０℃
検出器：ＩＲ検出器
検量線は、標準試料（ＴＳＫ  ｓｔａｎｄａｒｄ，ｐｏｌｙｓｔｙｒｅｎｅ、東ソー株式会社製）から、Ｆ−４０、Ｆ−２０、Ｆ−４、Ｆ−１、Ａ−５０００、Ａ−２５００、Ａ−１０００、及びｎ−プロピルベンゼンの８種を選択して作成した。
【００７６】
〔製造例２〕
（顔料分散体の製造）
シアン色顔料としてＰ．Ｂ−１５：３を用いた。顔料分散体の調製に用いる材料の質量の合計に対して、顔料２５質量％、製造例１で得たスチレン−アクリル樹脂１０質量％、及び界面活性剤（オルフィンＥ１０１０、アセチレンジオールのエチレンオキシド付加物、日信化学工業株式会社製）０．５質量％と、残余の水とを、ダイノミル（マルチラボ，ベッセル容量０．６Ｌ，株式会社シンマルエンタープライゼス製）に仕込んだ。次いで、スチレン−アクリル樹脂の中和に必要な量の水酸化カリウムをダイノミルに加えた。その後、ベッセル容量に対して７０％となるように、ビーズ径０．５ｍｍのジルコニアビーズをメディアとしてダイノミルに充填して、水冷しながら、１０℃、周速８ｍ／ｓの条件で顔料とスチレン−アクリル樹脂とを混練した。なお、製造例１で得たスチレン−アクリル樹脂は中和等量の１０５％のＮａＯＨ水溶液で中和した。また、Ｎａの質量は樹脂の質量として計算し、ＮａＯＨ水溶液に含まれる水や中和反応で生じた水の質量はイオン交換水の質量として計算した。得られた顔料分散体をイオン交換水を用いて３００倍に希釈して、動的光散乱式粒径分布測定装置（ゼータサイザー  ナノ、シスメックス株式会社製）を用いて顔料の体積平均粒径Ｄ５０を測定し、顔料の体積平均粒径が７０ｎｍ以上１３０ｎｍ以下の範囲となっていることを確認した。
【００７７】
〔実施例１〜３、及び比較例１〜３〕
製造例２で得た顔料分散体２４質量％と、２−ピロリドン（溶解安定剤）５．０質量％と、オルフィンＥ１０１０（界面活性剤、アセチレンジオールのエチレンオキシド付加物、日信化学工業株式会社製）０．５質量％と、１，２−オクタンジオール１．０質量％と、表１記載の量のグリセリンと、１，３−プロパンジオール３５質量％と、トリエチレングリコールモノブチルエーテル４．５質量％と、残余のイオン交換水とを撹拌機（スリーワンモーター  ＢＬ−６００（アズワン株式会社製））を用いて回転数４００ｒｐｍで撹拌して均一に混合した後、孔径５μｍのフィルターを用いてろ過して、実施例１〜３、及び比較例１〜３のインクを得た。得られたインクについて、２５℃、及び３５℃での粘度を振動式粘度計（ＳＶ−１０（株式会社エー・アンド・デイ製））を用いて測定した（表１）。
【００７８】
下記方法に従い、実施例１〜３、及び比較例１〜３のインクの連続画像形成時間、デキャップ性、形成画像の画像濃度、及び分散安定性の評価を行った。実施例１〜３、及び比較例１〜３のインクの連続画像形成、デキャップ性、形成画像の画像濃度、及び分散安定性の評価結果を表１に記す。
【００７９】
＜連続画像形成時間の評価方法＞
連続画像形成時間の評価では、長時間にわたり画像形成を繰返し行った場合でも、正常なインクの吐出が可能かどうかを評価した。
【００８０】
評価機としてヘッド内部にインクを保温可能なヒーターを有し、ヘッド内部の温度を検知可能な記録ヘッドを備える画像形成装置（京セラミタ株式会社製実験機）を用いた。評価機のヘッド内のインクの保温温度を３５℃に設定して、２８℃２０％ＲＨ環境下で評価を行った。記録ヘッドにインクを充填し、ノズル形成面から出ている余剰液をワイプブレードでかきとった。記録ヘッドのノズル面と記録用紙Ｐとの距離を１ｍｍに固定し、給紙部から排出部までの記録用紙Ｐの搬送速度を８４７ｍｍ／ｓに設定した。被記録媒体として普通紙（Ａ４、ＰＰＣ用紙、Ｃ２（富士ゼロックス株式会社製））を用いた。記録ヘッドから被記録媒体へ吐出するインクの量が１１ｐＬ（１画素当たり）となるようにインクを吐出した。複数枚の被記録媒体に、被記録媒体の進行方向に垂直なライン画像（１ドット幅×被記録媒体の幅の長さ）を、５ドット幅のスペース毎（非画像形成区間毎）に連続して形成した。被記録媒体に形成された画像に、インクの不吐出や、インクの吐出位置のずれ（ラインから１０μｍ以上のずれ）が確認された被記録媒体の、一つ前に画像形成された被記録媒体が排出された時間（連続画像形成時間）を測定した。連続画像形成時間６０分以上を○（合格）と判定し、６０分未満を×（不合格）と判定した。
【００８１】
＜デキャップ性の評価方法＞
デキャップ性の評価では、インクが充填された記録ヘッドをキャップせずに長期間放置した後に画像を形成する際に、記録ヘッドから正常なインクの吐出が可能かどうかを評価した。
【００８２】
連続画像形成の評価と同じ評価機を用い、同じ画像形成条件で評価を行った。インクを記録ヘッドに充填して、パージとワイプとをセットで３度行った後、記録ヘッドにキャップをすることなく一ヶ月間放置した。パージ量は記録ヘッド当たり１回につき２ｃｃであった。３０秒間放置後、被記録媒体として普通紙（Ａ４、ＰＰＣ用紙、Ｃ２（富士ゼロックス株式会社製））を用い、記録ヘッドのノズル１個から吐出される１画素当たりのインクの量を１１ｐＬとなるように設定して、１０ｃｍ×１０ｃｍのベタ画像を形成した。１０枚の被記録媒体にベタ画像を形成した後、記録ヘッドにキャップをすることなく３時間放置した。３時間後、１枚の被記録媒体に、記録ヘッドの全ノズルの吐出状況を確認できるチェックパターンの画像を形成した。全ノズルの吐出を確認できた場合を○（合格）と判定し、インクの不吐出や、インクの吐出位置のずれ（ラインから１０μｍ以上のずれ）が確認された場合を×（不合格）と判定した。
【００８３】
＜画像濃度の評価方法＞
連続画像形成の評価と同じ評価機を用い、２３℃６０％ＲＨ環境下で評価する以外は、連続画像形成の評価と同じ条件で評価を行った。被記録媒体として普通紙（Ａ４、ＰＰＣ用紙、Ｃ２（富士ゼロックス株式会社製））を用い、記録ヘッドのノズル１個から吐出される（１画素当たりの）インクの量を１１ｐＬとなるように設定して、１０ｃｍ×１０ｃｍのベタ画像を形成した。画像が形成された普通紙を一昼夜、常温常湿環境下で保存した後、画像部の画像濃度をポータブル反射濃度計ＲＤ−１９（グレタグマクベス社製）を用いて測定した。ベタ画像内の１０箇所の画像濃度の平均値を画像濃度とした。画像濃度１．０以上を○（合格）と判定し、画像濃度１．０未満を×（不合格）と判定した。
【００８４】
＜分散安定性の評価方法＞
分散安定性の評価では、高温環境に長期間さらされた場合の、インクの粘度変化、及び顔料の分散状態の変化を評価した。分散安定性の評価結果は、記録ヘッドからインクがしばらく吐出されなかった後に画像を形成する際のインクの吐出不良の生じやすさの指標となる。
【００８５】
インクの粘度、及び顔料の分散径について、インクを６０℃の温度下で一ヶ月放置したときの、初期からの変化率を以下の方法で測定して、分散安定性を評価した。インクの粘度、及び顔料の分散径の変化について、何れも○（合格）の判定であれば、分散安定性を○（合格）と判定した。インクの粘度、及び顔料の分散径の変化について、何れか一方でも×（不合格）の判定であれば、分散安定性を×（不合格）と判定した。ここで、顔料の分散径とは、粒子を液体中に分散させて測定した場合の平均粒子径をいう。
【００８６】
（粘度変化率の測定方法）
インク約２５０ｍｌを、容積３００ｍｌの上部に開口を有する円柱状の容器に入れ、容器内のインクの初期粘度Ｖ１を測定した。次いで、インクの入った容器を内温６０℃に設定された恒温槽に入れ、１ヶ月後の粘度Ｖ２を測定した。Ｖ１及びＶ２は、２５℃において、振動式粘度計（ＳＶ−１０（株式会社エー・アンド・デイ製））を用いて測定した。Ｖ２の値と、初期粘度Ｖ１との値から、下記式に従って粘度変化率を求めた。粘度変化率が１１０％未満を○（合格）と判定し、１１０％以上を×（不合格）と判定した。
粘度変化率（％）＝Ｖ２／Ｖ１×１００
【００８７】
（分散径変化率の測定方法）
インク約２５０ｍｌを、容積３００ｍｌの上部に開口を有する円柱状の容器に入れ、容器内のインクに含まれる顔料の初期分散径Ｒ１を測定した。次いで、インクの入った容器を内温６０℃に設定された恒温槽に入れ、１ヶ月後の顔料の分散径Ｒ２を測定した。Ｒ１、及びＲ２は、インクを、イオン交換水を用いて３００倍に希釈して、動的光散乱式粒径分布測定装置（ゼータサイザー  ナノ、シスメックス株式会社製）を用いて顔料の体積平均粒径Ｄ５０として測定した。Ｒ２の値と、Ｒ１の値とから、下記式に従って分散径変化率を求めた。分散径変化率が１１０％未満を○（合格）と判定し、１１０％以上を×（不合格）と判定した。
分散径変化率（％）＝Ｒ２／Ｒ１×１００
【００８８】
【表１】
0005892954.tif 000002
【００８９】
表１から、水と、顔料分散体と、保湿剤と、浸透剤とを含み、保湿剤として、インク中にグリセリンを５質量％以上９質量％以下、及び１，３−プロパンジオールを３０質量％以上４５質量％以下含み、浸透剤として、インク中に多価アルコールのＣ１〜Ｃ４モノアルキルエーテルを２．０質量％以上４．５質量％以下含む、実施例１〜３のインクを用いる場合、長時間にわたり画像を形成する場合や、インクが充填された記録ヘッドをキャップせずに長期間放置した後に画像を形成する場合であっても、記録ヘッドからのインク液滴の吐出状態を良好に保つことができ、所望する画像濃度を有する画像を得ることができ、高温環境に長期間さらされてもインクの粘度変化、及び顔料の分散状態の変化を抑制できることが分かる。
【００９０】
比較例１及び２から、インク中のグリセリンの含有量が５質量％未満であるインクを用いる場合、インクが充填された記録ヘッドをキャップせずに長期間放置した後に画像を形成する際に、記録ヘッドからのインク液滴の吐出不良が生じやすいことが分かる。これは、比較例１及び２のインクでは、保湿性が低いため溶剤が揮発しやすく、ノズルのインク吐出口近傍で、インクが増粘、或いは固化しやすいためと思われる。一方、比較例３からは、グリセリンのインク中の含有量が９質量％超であるインクを用いる場合、長時間にわたり画像を形成する際に、記録ヘッドからのインク液滴の吐出不良が生じやすいことが分かる。これは、比較例３のインクは保湿性は高いものの、絶対的な粘度が高くなりやすいためと思われる。
【００９１】
〔実施例４、実施例５、及び比較例４〜６〕
表２記載の保湿剤Ａ〜Ｅの何れかを用いて、実施例４、実施例５、及び比較例４〜６のインクを得た。より具体的には、製造例２で得た顔料分散体２４質量％と、２−ピロリドン（溶解安定剤）５．０質量％と、オルフィンＥ１０１０（界面活性剤、アセチレンジオールのエチレンオキシド付加物、日信化学工業株式会社製）０．５質量％と、１，２−オクタンジオール１．０質量％と、グリセリン７質量％と、表３記載の種類の保湿剤３５質量％と、トリエチレングリコールモノブチルエーテル４．５質量％と、残余のイオン交換水とを撹拌機（スリーワンモーター  ＢＬ−６００（アズワン株式会社製））を用いて回転数４００ｒｐｍで撹拌して均一に混合した後、孔径５μｍのフィルターを用いてろ過して、実施例４、実施例５、及び比較例４〜６のインクを得た。得られたインクについて、２５℃、及び３５℃での粘度を振動式粘度計（ＳＶ−１０（株式会社エー・アンド・デイ製））を用いて測定した（表３）。
【００９２】
【表２】
0005892954.tif 000003
【００９３】
上記方法に従い、実施例４、実施例５、及び比較例４〜６のインクの連続画像形成時間、デキャップ性、形成画像の画像濃度、及び分散安定性の評価を行った。実施例４、実施例５、及び比較例４〜６のインクの連続画像形成時間、デキャップ性、形成画像の画像濃度、及び分散安定性の評価結果を表３に記す。
【００９４】
【表３】
0005892954.tif 000004
【００９５】
表３から、水と、顔料分散体と、保湿剤と、浸透剤とを含み、保湿剤として、インク中にグリセリンを５質量％以上９質量％以下、並びに１，３−プロパンジオール、又は１，４−ブタンジオールを３０質量％以上４５質量％以下含み、浸透剤として、インク中に多価アルコールのＣ１〜Ｃ４モノアルキルエーテルを２．０質量％以上４．５質量％以下含む、実施例４、及び実施例５のインクを用いる場合、長時間にわたり画像を形成する場合や、インクが充填された記録ヘッドをキャップせずに長期間放置した後に画像を形成する場合であっても、記録ヘッドからのインク液滴の吐出状態を良好に保つことができ、所望する画像濃度を有する画像を得ることができ、高温環境に長期間さらされてもインクの粘度変化、及び顔料の分散状態の変化を抑制できることが分かる。
【００９６】
比較例４から、浸透剤として１，３−プロパンジオール、又は１，４−ブタンジオールではなく、１，２−プロパンジオールを含むインクを用いる場合、インクが充填された記録ヘッドをキャップせずに長期間放置した後に画像を形成する際に、記録ヘッドからのインク液滴の吐出不良が生じやすいことが分かる。これは、比較例４のインクでは、溶剤が揮発しやすく、ノズルのインク吐出口近傍で、インクが増粘、或いは固化しやすいためと思われる。
【００９７】
比較例５から、浸透剤として１，３−プロパンジオール、又は１，４−ブタンジオールではなく、１，３−ブタンジオールを含むインクを用いる場合、インクが充填された記録ヘッドをキャップせずに長期間放置した後に画像を形成する際に、記録ヘッドからのインク液滴の吐出不良が生じやすいことが分かる。また、比較例６から、浸透剤として１，３−プロパンジオール、又は１，４−ブタンジオールではなく、１，５−ペンタンジオールを含むインクを用いる場合、インクが充填された記録ヘッドをキャップせずに長期間放置した後に画像を形成する際に、記録ヘッドからのインク液滴の吐出不良が生じやすいことが分かる。
【００９８】
〔実施例６〜８、及び比較例７〜１３〕
製造例２で得た顔料分散体２４質量％と、２−ピロリドン（溶解安定剤）５．０質量％と、オルフィンＥ１０１０（界面活性剤、アセチレンジオールのエチレンオキシド付加物、日信化学工業株式会社製）０．５質量％と、１，２−オクタンジオール１．０質量％と、グリセリン７質量％と、表４、及び表５記載の量の１，３−プロパンジオールと、トリエチレングリコールモノブチルエーテル４．５質量％と、残余のイオン交換水とを撹拌機（スリーワンモーター  ＢＬ−６００（アズワン株式会社製））を用いて回転数４００ｒｐｍで撹拌して均一に混合した後、孔径５μｍのフィルターを用いてろ過して、実施例６〜８、及び比較例７〜１３のインクを得た。得られたインクについて、２５℃、及び３５℃での粘度を振動式粘度計（ＳＶ−１０（株式会社エー・アンド・デイ製））を用いて測定した（表４、及び表５）。
【００９９】
上記方法に従い、実施例６〜８、及び比較例７〜１３のインクの連続画像形成時間、デキャップ性、形成画像の画像濃度、及び分散安定性の評価を行った。実施例６〜８、及び比較例７〜１３のインクの連続画像形成時間、デキャップ性、形成画像の画像濃度、及び分散安定性の評価結果を表４、及び表５に記す。
【０１００】
【表４】
0005892954.tif 000005
【０１０１】
【表５】
0005892954.tif 000006
【０１０２】
表４、及び表５から、水と、顔料分散体と、保湿剤と、浸透剤とを含み、保湿剤として、インク中にグリセリンを５質量％以上９質量％以下、及び１，３−プロパンジオールを３０質量％以上４５質量％以下含み、浸透剤として、インク中に多価アルコールのＣ１〜Ｃ４モノアルキルエーテルを２．０質量％以上４．５質量％以下含む、実施例６〜８のインクを用いる場合、長時間にわたり画像を形成する場合や、インクが充填された記録ヘッドをキャップせずに長期間放置した後に画像を形成する場合であっても、記録ヘッドからのインク液滴の吐出状態を良好に保つことができ、所望する画像濃度を有する画像を得ることができ、高温環境に長期間さらされてもインクの粘度変化、及び顔料の分散状態の変化を抑制できることが分かる。
【０１０３】
比較例７〜１１から、１，３−プロパンジオールのインク中の含有量が３０質量％未満であるインクを用いる場合、長時間にわたり画像を形成する際に、記録ヘッドからのインク液滴の吐出不良が生じやすく、インクが充填された記録ヘッドをキャップせずに長期間放置した後に画像を形成する際に、記録ヘッドからのインク液滴の吐出不良が生じやすいことが分かる。これは、比較例７〜１１のインクが、保湿性が低く溶剤が揮発しやすいため、ノズルのインク吐出口近傍で、インクが増粘、或いは固化しやすいためと思われる。
【０１０４】
比較例１２、及び比較例１３から、１，３−プロパンジオールのインク中の含有量が４５質量％超であるインクを用いる場合、インクが充填された記録ヘッドをキャップせずに長期間放置した後に画像を形成する際に、記録ヘッドからのインク液滴の吐出不良が生じやすいことが分かる。これは、比較例１２、及び比較例１３のインクでは、保湿剤におけるグリセリンの含有量の比率が相対的に少なくなることで、インクの保湿性が低くなり、ノズルのインク吐出口近傍で、インクが増粘、或いは固化しやすいためと思われる。また、比較例１３から、１，３−プロパンジオールの含有量が過多であると、高温環境に長期間さらされた場合、インクの粘度、及び顔料の分散状態が変化しやすいことが分かる。
【０１０５】
〔実施例９〜１１、及び比較例１４〜１７〕
製造例２で得た顔料分散体２４質量％と、２−ピロリドン（溶解安定剤）５．０質量％と、オルフィンＥ１０１０（界面活性剤、アセチレンジオールのエチレンオキシド付加物、日信化学工業株式会社製）０．５質量％と、１，２−オクタンジオール１．０質量％と、グリセリン７質量％と、表６、及び表７記載の量の１，４−ブタンジオールと、トリエチレングリコールモノブチルエーテル４．５質量％と、残余のイオン交換水とを撹拌機（スリーワンモーター  ＢＬ−６００（アズワン株式会社製））を用いて回転数４００ｒｐｍで撹拌して均一に混合した後、孔径５μｍのフィルターを用いてろ過して、実施例９〜１１、及び比較例１４〜１７のインクを得た。得られたインクについて、２５℃、及び３５℃での粘度を振動式粘度計（ＳＶ−１０（株式会社エー・アンド・デイ製））を用いて測定した（表６、及び表７）。
【０１０６】
上記方法に従い、実施例９〜１１、及び比較例１４〜１７のインクの連続画像形成時間、デキャップ性、形成画像の画像濃度、及び分散安定性の評価を行った。実施例９〜１１、及び比較例１４〜１７のインクの連続画像形成時間、デキャップ性、形成画像の画像濃度、及び分散安定性の評価結果を表６、及び表７に記す。
【０１０７】
【表６】
0005892954.tif 000007
【０１０８】
【表７】
0005892954.tif 000008
【０１０９】
表６、及び表７から、水と、顔料分散体と、保湿剤と、浸透剤とを含み、保湿剤として、インク中にグリセリンを５質量％以上９質量％以下、及び１，４−ブタンジオールを３０質量％以上４５質量％以下含み、浸透剤として、インク中に多価アルコールのＣ１〜Ｃ４モノアルキルエーテルを２．０質量％以上４．５質量％以下含有する、実施例９〜１１のインクを用いる場合、長時間にわたり画像を形成する場合や、インクが充填された記録ヘッドをキャップせずに長期間放置した後に画像を形成する場合であっても、記録ヘッドからのインク液滴の吐出状態を良好に保つことができ、所望する画像濃度を有する画像が得られることがわかる。また、表６、及び表７から、実施例９〜１１のインクでは、インクが高温環境に長期間さらされても、インクの粘度変化、及び顔料の分散状態の変化が抑制されることが分かる。
【０１１０】
比較例１４、及び比較例１５から、１，４−ブタンジオールのインク中の含有量が３０質量％未満であるインクを用いる場合、長時間にわたり画像を形成する際に、記録ヘッドからのインク液滴の吐出不良が生じやすく、インクが充填された記録ヘッドをキャップせずに長期間放置した後に画像を形成する際に、記録ヘッドからのインク液滴の吐出不良が生じやすいことが分かる。これは、比較例１４、及び比較例１５のインクは、保湿性が低く溶剤の揮発しやすいため、ノズルのインク吐出口近傍で増粘、或いは固化しやすいためと思われる。
【０１１１】
比較例１６、及び比較例１７から、１，４−ブタンジオールのインク中の含有量が４５質量％超であるインクを用いる場合、インクが充填された記録ヘッドをキャップせずに長期間放置した後に画像を形成する際に、記録ヘッドからのインク液滴の吐出不良が生じやすいことが分かる。これは、比較例１６、及び比較例１７のインクが、ノズルのインク吐出口近傍で増粘、或いは固化しやすいためと思われる。
【０１１２】
〔実施例１２〜１４〕
製造例２で得た顔料分散体２４質量％と、２−ピロリドン（溶解安定剤）５．０質量％と、オルフィンＥ１０１０（界面活性剤、アセチレンジオールのエチレンオキシド付加物、日信化学工業株式会社製）０．５質量％と、１，２−オクタンジオール１．０質量％と、グリセリン７質量％と、表８記載の量の１，３−プロパンジオール、及び１，４−ブタンジオールと、トリエチレングリコールモノブチルエーテル４．５質量％と、残余のイオン交換水とを撹拌機（スリーワンモーター  ＢＬ−６００（アズワン株式会社製））を用いて回転数４００ｒｐｍで撹拌して均一に混合した後、孔径５μｍのフィルターを用いてろ過して、実施例１２〜１４のインクを得た。得られたインクについて、２５℃、及び３５℃での粘度を振動式粘度計（ＳＶ−１０（株式会社エー・アンド・デイ製））を用いて測定した（表８）。
【０１１３】
上記方法に従い、実施例１２〜１４のインクの連続画像形成時間、デキャップ性、形成画像の画像濃度、及び分散安定性の評価を行った。実施例１２〜１４のインクの連続画像形成時間、デキャップ性、形成画像の画像濃度、及び分散安定性の評価結果を表８に記す。
【０１１４】
【表８】
0005892954.tif 000009
【０１１５】
表８から、水と、顔料分散体と、保湿剤と、浸透剤とを含み、保湿剤として、インク中にグリセリンを５質量％以上９質量％以下、並びに１，３−プロパンジオール、及び１，４−ブタンジオールを３０質量％以上４５質量％以下含み、浸透剤として、インク中に多価アルコールのＣ１〜Ｃ４モノアルキルエーテルを２．０質量％以上４．５質量％以下含有する、実施例１２〜１４のインクを用いる場合、長時間にわたり画像を形成する場合や、インクが充填された記録ヘッドをキャップせずに長期間放置した後に画像を形成する場合であっても、記録ヘッドからのインク液滴の吐出状態を良好に保つことができ、所望する画像濃度を有する画像が得られることがわかる。また、表８から、実施例１２〜１４の
インクでは、インクが高温環境に長期間さらされても、インクの粘度変化、及び顔料の分散状態の変化を抑制されることが分かる。
【０１１６】
〔実施例１５〜２７、及び比較例１８〜３１〕
表９記載の浸透剤Ａ〜Ｆの何れか１種類、又は２種類を用いて、実施例１５〜２７、及び比較例１８〜３１のインクを得た。より具体的には、製造例２で得た顔料分散体２４質量％と、２−ピロリドン（溶解安定剤）５．０質量％と、オルフィンＥ１０１０（界面活性剤、アセチレンジオールのエチレンオキシド付加物、日信化学工業株式会社製）０．５質量％と、１，２−オクタンジオール１．０質量％と、グリセリン７質量％と、１，３−プロパンジオール３５質量％と、表１０〜１３に記載の種類と量の浸透剤と、残余のイオン交換水とを撹拌機（スリーワンモーター  ＢＬ−６００（アズワン株式会社製））を用いて回転数４００ｒｐｍで撹拌して均一に混合した後、孔径５μｍのフィルターを用いてろ過して、実施例１５〜２７、及び比較例１８〜３１のインクを得た。得られたインクについて、２５℃、及び３５℃での粘度を振動式粘度計（ＳＶ−１０（株式会社エー・アンド・デイ製））を用いて測定した（表１０〜１６）。
【０１１７】
【表９】
0005892954.tif 000010
【０１１８】
上記方法に従い、実施例１５〜２７、及び比較例１８〜３１のインクの連続画像形成時間、デキャップ性、形成画像の画像濃度、及び分散安定性の評価を行った。実施例１５〜２７、及び比較例１８〜３１のインクの連続画像形成時間、デキャップ性、形成画像の画像濃度、及び分散安定性の評価結果を表１０〜１６に記す。
【０１１９】
【表１０】
0005892954.tif 000011
【０１２０】
【表１１】
0005892954.tif 000012
【０１２１】
【表１２】
0005892954.tif 000013
【０１２２】
【表１３】
0005892954.tif 000014
【０１２３】
【表１４】
0005892954.tif 000015
【０１２４】
【表１５】
0005892954.tif 000016
【０１２５】
【表１６】
0005892954.tif 000017
【０１２６】
表１０〜１６から、水と、顔料分散体と、保湿剤と、浸透剤とを含み、保湿剤として、インク中にグリセリンを５質量％以上９質量％以下、及び１，４−ブタンジオールを３０質量％以上４５質量％以下含み、浸透剤として、インク中に多価アルコールのＣ１〜Ｃ４モノアルキルエーテルを２．０質量％以上４．５質量％以下含有する、実施例１５〜２７のインクを用いる場合、長時間にわたり画像を形成する場合や、インクが充填された記録ヘッドをキャップせずに長期間放置した後に画像を形成する場合であっても、記録ヘッドからのインク液滴の吐出状態を良好に保つことができ、所望する画像濃度を有する画像ら得られることが分かる。また、表１０〜１６から、実施例１５〜２７のインクでは、インクが高温環境に長期間さらされても、インクの粘度変化、及び顔料の分散状態の変化が抑制されることが分かる。
【０１２７】
比較例１８、２０、２６、２８、及び３０から、多価アルコールのＣ１〜Ｃ４モノアルキルエーテルのインク中の含有量が２．０質量％未満であるインクを用いる場合、所望する画像濃度を有する画像を得にくいことが分かる。これは、比較例１８、２０、２６、２８及び３０のインクの被記録媒体に対する浸透性が低いためと思われる。一方、比較例１９、２１、２７、２９、及び３１から、多価アルコールのＣ１〜Ｃ４モノアルキルエーテルのインク中の含有量が４．５質量％超であるインクは、被記録媒体に対しる浸透性は十分高いものの、高温環境に長期間さらされる場合に、インクの粘度と顔料の分散状態とが変化しやすいことが分かる。また、多価アルコールのＣ１〜Ｃ４モノアルキルエーテルとして、トリエチレングリコールモノメチルエーテルを用い、そのインク中の含有量が過多である場合、インクが充填された記録ヘッドをキャップせずに長期間放置した後に画像を形成する際に、記録ヘッドからのインク液滴の吐出不良が生じやすい。
【０１２８】
比較例２２、及び比較例２３から、浸透剤として、多価アルコールのＣ１〜Ｃ４モノアルキルエーテルではなく、１，２−ヘキシレングリコールを含むインクを用いる場合、１，２−ヘキシレングリコールのインク中の含有量が２．０質量％以下であると、所望する画像濃度を有する画像を得にくいことが分かる。また、比較例２４、及び比較例２５から、浸透剤として１，２−ヘキシレングリコールを含むインクについて、１，２−ヘキシレングリコールのインク中の含有量が、２．０質量％を超えると、インクが高温環境に長期間さらされることで、インクの粘度変化と顔料の分散状態の変化とが生じやすく、インクが充填された記録ヘッドをキャップせずに長期間放置した後に画像を形成する際に、記録ヘッドからのインク液滴の吐出不良が生じやすいことが分かる。
【符号の説明】
【０１２９】
２  給紙トレイ
３  給紙ローラー
４  従動ローラー
５  搬送ベルト
６  ベルト駆動ローラー
７  ベルトローラー
８  排出部
８ａ  排出ローラー
８ｂ  従動ローラー
１０  排紙トレイ
１１Ｃ、１１Ｍ、１１Ｙ、１１Ｋ  ラインヘッド
１２ａ〜１２ｐ、１２ａ’〜１２ｐ’  ノズル
２０  制御部
３０  検出手段
１００  インクジェット記録装置
Ｄ１〜Ｄ４  ドット列（行方向）
Ｌ１〜Ｌ１６  ドット列（用紙搬送方向）
Ｎ１、Ｎ２  ノズル列
Ｐ  記録用紙
【図１】
0005892954.tif 000018
【図２】
0005892954.tif 000019
【図３】
0005892954.tif 000020
【図４】
0005892954.tif 000021
【図５】
0005892954.tif 000022